(57)【特許請求の範囲】
【請求項１】
食器洗浄機が、該食器洗浄機とは別に設置され且つ別の電源に接続された給湯器からの湯水を利用して食器を洗浄する食器洗浄システムにおいて、
前記給湯器は給湯器内の湯水温度を測定する温度センサと、該湯水温度を設定する給湯温度調整部と、該給湯温度調整部に接続された制御基板とを備え、
前記食器洗浄機は、洗浄湯温の温度検出機能を有する制御基板と、前記温度センサにより計測された給湯器内の湯水温度及び前記食器洗浄機内の洗浄湯温を表示する表示部を備え、
前記食器洗浄機の制御基板は前記表示部に接続し、
前記温度センサは前記給湯器の制御基板を介さずに前記食器洗浄機の制御基板に直接にケーブルで接続されることを特徴とする食器洗浄システム。
【請求項２】
前記食器洗浄機は当該洗浄機内の洗浄温度を測定するための第１サーミスタを備え、
前記温度センサは前記第１サーミスタと同じサーミスタ定数を有する第２サーミスタからなることを特徴とする請求項１に記載の食器洗浄システム。
【発明の詳細な説明】
【０００１】
【発明の属する技術分野】
この発明は、食器洗浄システムに関するものである。
【０００２】
【従来の技術】
通常、食器洗浄機には、食器を洗浄する際に食器洗浄機内部に内蔵された給湯器の湯水を使用するものと、食器洗浄機の外部に別置された給湯器の湯水を使用するものがある。
後者の給湯器別置型の食器洗浄機においては、食器洗浄機外面に設けられた操作パネル上に食器洗浄時の洗浄温度が表示される。一方、給湯器外面に設けられた温度計に給湯器内の湯水温度が表示されており、この給湯器内の湯温は給湯器側で設定及び制御される。このため、使用者は給湯器において温度計で給湯器内に加熱及び保温されている湯水温度を確かめ、この湯温を所望の温度に設定及び制御することができる。なお、食器洗浄機と給湯器はそれぞれ別々の電源を取っており、制御もそれぞれ個別に行なわれる。
【０００３】
【発明が解決しようとする課題】
このような給湯器別置型の食器洗浄機の場合、使用者が給湯器における湯水の温度管理を行う際には給湯器外面に取り付けられた温度計により湯水温度を確認していたが、この温度計の大きさが小さいために温度が見辛いということがあった。また、食器洗浄機と別置される給湯器は通常、ソレノイドテーブルの下に設置されるため、この場合屈んでソレノイドテーブルの下の給湯器を覗き込まないと温度計の確認ができないことがあり、必然的に使用者が給湯器の湯水温度の確認を怠ってしまう虞があった。
この発明は、このような問題点を解決するためになされたもので、別置された給湯器の湯水温度を簡単に確認することができる食器洗浄システムを提供することを目的とする。
【０００４】
【課題を解決するための手段】
この発明の食器洗浄システムは、食器洗浄機が、該食器洗浄機とは別に設置され且つ別の電源に接続された給湯器からの湯水を利用して食器を洗浄する食器洗浄システムにおいて、給湯器は給湯器内の湯水温度を測定する温度センサと、該湯水温度を設定する給湯温度調整部と、該給湯温度調整部に接続された制御基板とを備え、食器洗浄機は、洗浄湯温の温度検出機能を有する制御基板と、温度センサにより計測された給湯器内の湯水温度及び食器洗浄機内の洗浄湯温を表示する表示部を備え、該食器洗浄機の制御基板は表示部に接続し、温度センサは給湯器の制御基板を介さずに食器洗浄機の制御基板に直接にケーブルで接続されるものである。
また、食器洗浄機は当該洗浄機内の洗浄温度を測定するための第１サーミスタを備え、温度センサは第１サーミスタと同じサーミスタ定数を有する第２サーミスタからなるようにしてもよい。
【０００５】
【発明の実施の形態】
以下、この発明の実施の形態を添付図面に基づいて説明する。
実施の形態１．
図１を参照してこの発明の実施の形態１に係る食器洗浄システムを説明する。食器洗浄システム１００は、食器洗浄機１と給湯器２とこれら食器洗浄機１及び給湯器２を相互に接続するケーブル３とを備えている。食器洗浄機１の内部には食器を洗浄するための洗浄部１ａが設けられており、この洗浄部１ａ近傍に洗浄温度を測定するための第１サーミスタ４が設置されている。第１サーミスタ４は温度検出機能を有する制御基板Ａを介して食器洗浄機１の外面に設置された操作パネル５上の洗浄温度表示部６に電気的に接続されており、使用者はこの洗浄温度表示部６において食器洗浄時の洗浄温度を確認することができる。
【０００６】
一方、食器洗浄機１に湯水を供給する給湯器２の内部には湯水を貯留しておくためのタンク８が設けられている。このタンク８の下部にヒータあるいはガスを利用してタンク８内の湯水を加熱及び保温する熱交換器９が設置される一方、タンク８の外面にはタンク８内の湯水温度を測定するための第２サーミスタ１０が設置されている。また、給湯器２の前面にあるフロントパネル１１の上部には適温ランプ１２と、給湯器内の湯水温度を設定または変更するための給湯温度調整部１３とが設けられている。これら熱交換器９、適温ランプ１２及び給湯温度調整部１３はそれぞれ制御基板Ｂに電気的に接続されている。また、給湯器２内の第２サーミスタ１０はケーブル３により直接に、食器洗浄機１内に設けられた温度検出機能を有する制御基板Ａに接続されている。制御基板Ａは操作パネル５上に設けられた給湯温度表示部７に接続されており、使用者は洗浄温度表示部６と同様に操作パネル５上に設けられた給湯温度表示部７において、給湯器２内に加熱及び保温されている湯水温度を確認することができる。
【０００７】
上記のように、第２サーミスタ１０が給湯器２側の制御基板Ｂを介すことなく直接に制御基板Ａに接続されることから、別々の電源を取っている制御基板Ａと制御基板Ｂとによる信号伝達経路に物理的接点を持たせないようにすることができる。その結果、仮に制御基板Ａ及び制御基板Ｂの信号伝達経路がそれぞれ互いに接点を持った場合に予測される事態、すなわち、伝達される信号にノイズが乗り易くなって正確な温度検出ができなくなったり、このノイズが誤作動を引き起こすといった事態を回避することができる。
なお、制御基板Ａ及び制御基板Ｂは異常検知用ケーブル２１により接続されているが、制御基板内においては異常検知時のみスイッチ又は接点が閉じる構成となっており、正常動作時には依然として制御基板Ａ及び制御基板Ｂの間には電気的な接触点がないようにしてあるため、これにより伝達される信号にノイズが乗るのを防止することができる。
また、第１サーミスタ４及び第２サーミスタ１０は温度変化によって電気抵抗が変化することを利用して温度を測定する温度センサであり、食器洗浄機１内の洗浄温度を測定するための第１サーミスタ４と給湯器２内の湯水温度を測定するための第２サーミスタ１０は同じサーミスタ定数を有する。その結果、第２サーミスタ１０用の温度検出機能のある基板を個別に設ける必要なく、既存の制御基板Ａの温度検出機能を利用して、第１サーミスタ４及び第２サーミスタからの温度検出結果に誤差を含まずに、それぞれの温度検出結果を正確に表示することができるようになる。
【０００８】
以上の構成を有する食器洗浄システムの作用を説明する。食器洗浄機１内の第１サーミスタ４からの信号が制御基板Ａに伝わることにより、食器洗浄器１の操作パネル５上に設けられた洗浄温度表示部６において食器の洗浄温度がデジタル表示され、使用者はこれにより洗浄温度を確認することができる。また、給湯器２内の第２サーミスタ１０からの信号がケーブル３を介して直接に食器洗浄機１内の制御基板Ａに伝わることにより、食器洗浄機１の操作パネル５上に設けられた給湯温度表示部７において給湯器２のタンク８内の湯水温度がデジタル表示される。これにより、使用者は給湯器内２の湯水温度を食器洗浄機１の給湯温度表示部７でこまめに確認し、この給湯器２内の湯水温度を設定または変更する必要がある場合には、給湯器２の給湯温度調整部１３において温度変更等の湯水温度の微調整を行うことができる。
この給湯温度調整部１３において設定または変更された温度の信号から判断して制御基板Ｂは、タンク８下部に設けられた熱交換器９により給湯器２のタンク８内の湯水を加熱、保温及び冷却等して温度制御を行なう。温度制御の結果は、第２サーミスタ１０により食器洗浄機１の給湯温度表示部７に反映され、使用者は給湯器２内の湯水温度を給湯温度表示部７においてモニターすることができる。また、制御基板Ｂは、給湯器２のタンク８内の湯水温度が給湯温度調整部７で使用者により設定または変更された温度に対して所定の温度範囲内にあれば、適温と判断して給湯器２のフロントパネル１１上部に設けられた適温ランプ１２を点灯させる。食器洗浄機１の給湯温度表示部７及び給湯器２の適温ランプ１２により使用者は、給湯器２内の湯水温度が所望の温度であるか否かを確認することができる。
【０００９】
したがって、使用者は従来のようにわざわざ屈んで給湯器に設けられた温度計を覗き込む必要なく、食器洗浄機８の給湯温度表示部７において簡単に給湯器２内の湯水温度のこまめな確認を行うことができるようになった。また、給湯器２内の湯水温度は従来の温度計による表示に比べると給湯温度表示部７にデジタル表示されるようになったため、視覚的に見易くなり温度確認はさらに行ない易くなった。そして、このように従来のような温度計が要らなくなったことから食器洗浄システム１００全体の構造の簡易化に繋がり、ひいてはコストダウンにも繋がった。
なお、上述のように食器洗浄機１の操作パネル５において、食器洗浄時の湯水温度を表示する洗浄温度表示部６と、給湯器２内の湯水温度を表示する給湯温度表示部７とをそれぞれ別々に設ける代りに、表示部を１つだけ設け、この表示部において表示切換することによりそれぞれの温度を確認するようにしてもよい。
【００１０】
実施の形態２．
次に、図２を参照して本発明の実施の形態２を説明する。この実施の形態２の食器洗浄システム１０１は、実施の形態１の食器洗浄システム１００において、給湯器２内の湯水温度を測定するための第２サーミスタ１０をケーブル３により直接に食器洗浄機１の制御基板Ａに接続する代りに、第２サーミスタ１０を給湯器１の制御基板Ｂに電気的に接続して、さらにこの制御基板Ｂを食器洗浄機１の制御基板Ａを介すことなくケーブル２３により食器洗浄機１の操作パネル５上に設けられた給湯温度表示部７に直接に接続する構成としたものである。
給湯器２の第２サーミスタ１０からの信号が制御基板Ｂに伝わると、さらにこの信号が制御基板Ｂからケーブル２３を介して直接に食器洗浄機１の給湯温度表示部７に伝わって、この給湯温度表示部７において給湯器２のタンク８内の湯水温度がデジタル表示される。これにより、使用者は食器洗浄機１の給湯温度表示部において簡単に給湯器２内の湯水温度のこまめな確認を行うことができ、実施の形態１と同様の効果が得られる。さらに、このような効果に加えて実施の形態２では、給湯器２の制御基板Ｂが食器洗浄機１の操作パネル上に設けられた給湯温度表示部７にケーブル２３を介して直接に接続されていることから、給湯温度調整部を食器洗浄機１の給湯温度表示部に設けることにより、給湯器１内の湯水温度を食器洗浄機１の操作パネル上で確認するだけでなく設定または変更することも可能となる。
【００１１】
【発明の効果】
以上説明したように、この発明によれば、給湯器は給湯器内の湯水温度を測定する温度センサを備え、食器洗浄機は温度センサにより計測された給湯器内の湯水温度を表示する表示部を備え、温度センサは食器洗浄機の制御基板及び給湯器の制御基板のうちどちらか一方の制御基板に接続されるようにしたので、使用者は別置された給湯器の湯水温度を食器洗浄機側で簡単に確認することが可能となり、しかもノイズの乗らない正確な温度表示を行うことができる。
また、食器洗浄機は当該洗浄機内の洗浄温度を測定するための第１サーミスタを備え、温度センサは第１サーミスタと同じサーミスタ定数を有する第２サーミスタからなるものとしたので、既存の制御基板の温度検出機能を利用して、第１サーミスタ及び第２サーミスタからの温度検出結果に誤差を含まずに、それぞれの温度検出結果を正確に表示することができるようになった。
【図面の簡単な説明】
【図１】  この発明の実施の形態１に係る食器洗浄システムを示す概略図である。
【図２】  この発明の実施の形態２に係る食器洗浄システムを示す概略図である。
【符号の説明】
１  食器洗浄機、２  給湯器、３，２３  ケーブル、５  操作パネル、７  給湯温度表示部（表示部）、８  タンク、９  熱交換器、１０  第２サーミスタ、１１  フロントパネル、１２  適温ランプ、１００，１０１  食器洗浄システム。
【図１】
0004809936.tif 000002
【図２】
0004809936.tif 000003